(57)【要約】【課題】簡単な構成で、投射光学系が交換されてもレジストレーションずれを十分に低減する。【解決手段】画像投射装置６０は、投射光学装置１２が交換可能に装着されるマウント６２と、複数の光変調素子５０Ｒ，５０Ｇ，５０Ｂの間のレジストレーションずれに関する第１の情報を記憶した記憶部７１とを有する。制御部は、マウントに装着された投射光学装置から該投射光学装置の色収差に関する第２の情報を取得し、第１の情報および第２の情報を用いて、被投射面上における複数の色光間のレジストレーションずれ量の想定値を算出する。制御部は、複数の光変調素子のうち少なくとも１つの光変調素子において色光を変調する変調領域を、被投射面上における実際の複数の色光間のレジストレーションずれ量が想定値よりも小さくなるように設定する。【選択図】図２
2012137673.tif 000002
【特許請求の範囲】
【請求項１】
複数の色光をそれぞれ変調する複数の光変調素子と、
入力された映像信号に応じて前記複数の光変調素子の動作を制御する制御部と、
前記複数の光変調素子にて変調された前記複数の色光を被投射面に投射する投射光学装置が交換可能に装着されるマウントと、
前記複数の光変調素子間のレジストレーションずれに関する第１の情報を記憶した記憶部とを有し、
前記制御部は、
前記マウントに装着された前記投射光学装置から該投射光学装置の色収差に関する第２の情報を取得し、
前記第１の情報および前記第２の情報を用いて、前記被投射面上における前記複数の色光間のレジストレーションずれ量の想定値を算出し、
前記複数の光変調素子のうち少なくとも１つの光変調素子において前記色光を変調する変調領域を、前記被投射面上における実際の前記複数の色光間のレジストレーションずれ量が前記想定値よりも小さくなるように設定することを特徴とする画像投射装置。
【請求項２】
前記投射光学装置は、焦点距離の変更が可能な変倍光学系を有しており、
前記制御部は、
前記投射光学装置から前記変倍光学系の変倍状態に関する情報を取得し、
該変倍状態に関する情報に応じて前記変調領域を変更することを特徴とする請求項１に記載の画像投射装置。
【請求項３】
複数の色光をそれぞれ変調する複数の光変調素子と、
入力された映像信号に応じて前記複数の光変調素子の動作を制御する制御部と、
前記複数の光変調素子にて変調された前記複数の色光を被投射面に投射する投射光学装置が交換可能に装着されるマウントと、
前記複数の光変調素子のレジストレーションずれに関する第１の情報を記憶した記憶部とを有し、
前記制御部は、
前記マウントに装着された前記投射光学装置から該投射光学装置の色収差に関する第２の情報を取得し、
前記第１の情報および前記第２の情報を用いて、前記被投射面上における前記複数の色光間のレジストレーションずれ量の想定値を算出し、
前記複数の光変調素子のうち少なくとも１つの光変調素子を介して、前記被投射面上における実際の前記複数の色光のレジストレーションずれ量を前記想定値よりも小さくするために前記投射光学装置に対してユーザが行う調整に関する情報を前記被投射面に投射することを特徴とする画像投射装置。
【請求項４】
複数の色光をそれぞれ変調する複数の光変調素子と、
入力された映像信号に応じて前記複数の光変調素子の動作を制御する制御部と、
前記複数の光変調素子にて変調された前記複数の色光を被投射面に投射する投射光学装置が交換可能に装着されるマウントと、
前記複数の光変調素子のレジストレーションずれに関する第１の情報を記憶した記憶部とを有し、
前記制御部は、
前記マウントに装着された前記投射光学装置から該投射光学装置の色収差に関する第２の情報を取得し、
前記複数の光変調素子のうち少なくとも１つの光変調素子を介して、前記想定値の情報を前記被投射面に投射することを特徴とする画像投射装置。
【請求項５】
請求項１から４のいずれか一項に記載の画像投射装置の前記マウントに対して着脱が可能な投射光学装置であって、
該投射光学装置の色収差に関する情報を記憶したレンズ記憶部を有することを特徴とする投射光学装置。
【発明の詳細な説明】
【技術分野】
【０００１】
本発明は、液晶プロジェクタ等の画像投射装置に関し、特にレジストレーションずれの補正が可能な画像投射装置に関する。
【背景技術】
【０００２】
画像投射装置には、入力映像信号に応じて、ＲＧＢ等の複数の色光をそれぞれ変調する複数の液晶パネル等の光変調素子が設けられている。該装置の製造時には、投射レンズ等の投射光学系の色収差や製造誤差に合わせて、複数の光変調素子の固定位置が調整される。これにより、複数の光変調素子にて変調されて投射光学系により投射される複数の色光がそれぞれ被投射面上に形成する投射画像間のずれ（レジストレーションずれ）を低減することができる。
【０００３】
ただし、投射光学系（投射レンズ装置の投射光学装置）の交換が可能な画像投射装置では、装着される投射光学系ごとに色収差や製造誤差が異なる。このため、装置の製造時における光変調素子の固定位置の調整だけでは、様々な投射光学系の装着時にレジストレーションずれを十分に低減することができない。
【０００４】
特許文献１には、複数の光変調装置（画像投射装置）からの投射光によって形成される複数の光学像（投射画像）を互いに重ね合わせて表示する表示装置が開示されている。該表示装置では、各光学像の平均輝度や色むら等の特性を取得する。そして、複数の光学像のうち該特性に応じて決定した基準像に対して他の光学像の投射位置を変化させるように光変調装置内の光変調素子や投射レンズの位置を移動させることにより、複数の光学像のレジストレーションずれを低減する。
【先行技術文献】
【特許文献】
【０００５】
【特許文献１】特開２００８−２２５２９７号公報
【発明の概要】
【発明が解決しようとする課題】
【０００６】
特許文献１にて開示された表示装置では、投射レンズを通して実際に投射された光学像の特性を取得して利用するため、投射レンズが交換タイプか否かにかかわらず、レジストレーションずれを低減することは可能である。
【０００７】
しかしながら、特許文献１にて開示された表示装置では、実際に投射された光学像の特性を取得するための複雑な構成が必要となる。
【０００８】
本発明は、簡単な構成で、投射光学系（投射光学装置）が交換されてもレジストレーションずれを低減することができるようにした画像投射装置および投射光学装置を提供する。
【課題を解決するための手段】
【０００９】
本発明の一側面としての画像投射装置は、複数の色光をそれぞれ変調する複数の光変調素子と、入力された映像信号に応じて複数の光変調素子の動作を制御する制御部と、複数の光変調素子にて変調された複数の色光を被投射面に投射する投射光学装置が交換可能に装着されるマウントと、複数の光変調素子間のレジストレーションずれに関する第１の情報を記憶した記憶部とを有する。制御部は、マウントに装着された投射光学装置から該投射光学装置の色収差に関する第２の情報を取得する。制御部は、第１の情報および第２の情報を用いて、被投射面上における複数の色光間のレジストレーションずれ量の想定値を算出する。そして、制御部は、複数の光変調素子のうち少なくとも１つの光変調素子において色光を変調する変調領域を、被投射面上における実際の複数の色光間のレジストレーションずれ量が想定値よりも小さくなるように設定することを特徴とする。
【００１０】
本発明の他の一側面としての画像投射装置は、複数の色光をそれぞれ変調する複数の光変調素子と、入力された映像信号に応じて複数の光変調素子の動作を制御する制御部と、複数の光変調素子にて変調された複数の色光を被投射面に投射する投射光学装置が交換可能に装着されるマウントと、複数の光変調素子間のレジストレーションずれに関する第１の情報を記憶した記憶部とを有する。制御部は、マウントに装着された投射光学装置から該投射光学装置の色収差に関する第２の情報を取得する。制御部は、第１の情報および第２の情報を用いて、被投射面上における複数の色光間のレジストレーションずれ量の想定値を算出する。そして、制御部は、複数の光変調素子のうち少なくとも１つの光変調素子を介して、被投射面上における実際の複数の色光のレジストレーションずれ量を想定値よりも小さくするために投射光学装置に対してユーザが行う調整に関する情報を被投射面に投射することを特徴とする。
【００１１】
さらに、本発明の他の一側面としての画像投射装置は、複数の色光をそれぞれ変調する複数の光変調素子と、入力された映像信号に応じて複数の光変調素子の動作を制御する制御部と、複数の光変調素子にて変調された複数の色光を被投射面に投射する投射光学装置が交換可能に装着されるマウントと、複数の光変調素子間のレジストレーションずれに関する第１の情報を記憶した記憶部とを有する。制御部は、マウントに装着された投射光学装置から該投射光学装置の色収差に関する第２の情報を取得する。制御部は、第１の情報および第２の情報を用いて、被投射面上における複数の色光間のレジストレーションずれ量の想定値を算出する。そして、制御部は、複数の光変調素子のうち少なくとも１つの光変調素子を介して想定値の情報を被投射面に投射することを特徴とする。
【００１２】
なお、上記画像投射装置のマウントに対して着脱が可能であり、該投射光学装置の色収差に関する情報を記憶したレンズ記憶部を有する投射光学装置も本発明の他の一側面を構成する。
【発明の効果】
【００１３】
本発明では、画像投射装置に予め記憶された光変調素子間のレジストレーションずれに関する情報と投射光学装置から取得した該投射光学装置の色収差に関する情報とを用いて、被投射面上でのレジストレーションずれ量の想定値を算出する。そして、被投射面上での実際のレジストレーションずれ量が想定値よりも小さくなるように、光変調素子における変調領域の位置を設定（選択）する。これにより、様々な投射光学装置が装着されても、複雑な装置構成を用いることなく、光変調素子間のレジストレーションずれと投射光学装置の色収差の合成によって被投射面上で発生するレジストレーションずれ量を十分に低減することができる。
【００１４】
また、本発明では、被投射面上における実際のレジストレーションずれ量を想定値よりも小さくするために投射光学装置に対してユーザが行う調整に関する情報（ガイダンス）を投射する。これにより、様々な投射光学装置が装着されても、ユーザによって簡単にレジストレーションずれ量を低減することができる。
【００１５】
さらに、本発明では、画像投射装置に予め記憶された光変調素子間のレジストレーションずれに関する情報と投射光学装置から取得した該投射光学装置の色収差に関する情報とを用いて、被投射面上でのレジストレーションずれ量の想定値を算出する。そして、該想定値の情報を投射表示する。これにより、例えば複数の画像投射装置と複数の投射光学装置とを組み合わせて使用する場合に、被投射面上でのレジストレーションずれ量を少なくすることが可能な画像投射装置と投射光学装置の組み合わせをユーザに認識させることができる。
【図面の簡単な説明】
【００１６】
【図１】本発明の実施例１である液晶プロジェクタの外観図。
【図２】上記液晶プロジェクタの光学構成および電気的構成の一部を示す斜視図。
【図３】上記液晶プロジェクタの電気的構成を示す斜視図。
【図４】上記液晶プロジェクタにおけるレジストレーションずれを示す図。
【図５】上記液晶プロジェクタに用いられる液晶パネルの変調領域を示す図。
【図６】上記液晶パネルにおける変調領域の可変設定を示す図。
【図７】上記液晶プロジェクタの動作を示すフローチャート。
【図８】本発明の実施例２である液晶プロジェクタが投射レンズの調整ガイダンスを表示している様子を示す図。
【図９】本発明の実施例３である液晶プロジェクタが、該液晶プロジェクタのレジストレーションずれ情報と投射レンズの色収差情報とを表示している様子を示す図。
【発明を実施するための形態】
【００１７】
以下、本発明の実施例について図面を参照しながら説明する。
【実施例１】
【００１８】
図１には、本発明の実施例１である画像投射システムの外観を示している。６０は画像投射装置としてのプロジェクタ本体であり、１２は投射光学装置としての投射レンズ鏡筒である。投射レンズ鏡筒１２は、複数のレンズにより構成される投射光学系を内部に保持しており、プロジェクタ本体６０に対して着脱（交換）が可能である。
なお、本実施例では、液晶パネルを光変調素子として用いる液晶プロジェクタについて説明するが、デジタルマイクロミラーデバイス（ＤＭＤ）等の他の光変調素子を用いた画像投射装置も本発明の実施例に含まれる。
【００１９】
図２および図３には、プロジェクタ本体６０内に配置された光学系の構成と投射レンズ鏡筒１２内の光学構成を示している。図２において、Ｚ方向は投射レンズ鏡筒（投射光学系）１２の光軸が延びる方向（光軸方向）であり、Ｘ方向およびＹ方向は該光軸方向に対して直交する方向である。
【００２０】
５１はダイクロイックミラーであり、不図示の光源ランプから射出され、不図示の照明光学系に含まれる偏光変換素子によって所定の偏光方向を有する直線偏光に変換された白色光としての照明光を、複数の色光に分離する。具体的には、ダイクロイックミラー５１は、上記照明光を、透過光としての緑色光（以下、Ｇ光という）と、反射光としての赤色光（以下、Ｒ光という）および青色光（以下、Ｂ光という）とに分離する。
【００２１】
５４は第１の偏光ビームスプリッタであり、入射したＧ光を透過してＧ光用の液晶パネル５０Ｇに導く。また、４３は第２の偏光ビームスプリッタであり、入射したＲ光とＢ光をそれぞれ反射および透過してＲ光用の液晶パネル５０ＲとＢ光用の液晶パネル５０Ｂに導く。
【００２２】
制御部としてのプロジェクタコントローラ７０は、ＣＰＵやマイクロコンピュータ等により構成され、図３に示したプロジェクタ基板２１に実装されている。プロジェクタコントローラ７０は、不図示の外部機器から入力された映像信号に応じて、３つの液晶パネル（複数の光変調素子）５０Ｒ，５０Ｇ，５０Ｂの動作を制御する。具体的には、プロジェクタコントローラ７０は、入力された映像信号のＲ成分、Ｇ成分およびＢ成分に対応するＲ原画，Ｇ原画およびＢ原画をそれぞれ、液晶パネル５０Ｒ，５０Ｇ，５０Ｂの変調領域に形成する。各液晶パネルの変調領域に入射した光は、該変調領域に形成された原画に応じて変調され、かつ反射される。各液晶パネルの変調領域については後述する。
【００２３】
プロジェクタ基板２１には、図２に示した記憶部としてのプロジェクタメモリ７１も実装されている。
【００２４】
Ｇ光用の液晶パネル５０Ｇで変調および反射されたＧ光は、第１の偏光ビームスプリッタ５４により反射されてダイクロイックプリズム４６に入射する。また、Ｒ光用の液晶パネル５０ＲおよびＢ光用の液晶パネル５０Ｂで変調および反射されたＲ光およびＢ光はそれぞれ、第２の偏光ビームスプリッタ４３により透過および反射されてダイクロイックプリズム４６に入射する。
【００２５】
ダイクロイックプリズム４６は、Ｇ光を反射するとともにＲ光およびＢ光を透過して投射レンズ鏡筒１２内の投射光学系に導く。投射光学系は、該３つの色光を不図示のスクリーン等の被投射面に投射する。これにより、Ｒ光、Ｇ光およびＢ光によりそれぞれ形成されるＲ投射画像、Ｇ投射画像およびＢ投射画像が互いに重なり合うように被投射面上に表示される。
【００２６】
図３に示すように、プロジェクタ本体６０の内部において、ダイクロイックミラー５１およびプリズム５４，４３，４６等の光学部品を含む色分解合成光学系を保持する保持部材としてのプロジェクタフレーム１１には、レンズマウント６２が固定される。レンズマウント６２には、投射レンズ鏡筒１２が取り外し可能に装着される。
【００２７】
投射レンズ鏡筒１２には、レンズ基板１３が設けられており、該レンズ基板１３に実装されたレンズコントローラ７５（図２参照）とプロジェクタ基板２１に実装されたプロジェクタコントローラ７０とはケーブル６１を通じて通信可能に接続される。レンズ基板１３には、図２に示したレンズ記憶部としてのレンズメモリ７６も実装されている。
【００２８】
プロジェクタ本体６０において、照明光学系や色分解合成光学系を構成する光学部品および各液晶パネルの固定位置が設計位置からずれると、Ｒ，Ｇ，Ｂ投射画像間（複数の色光間）にて本来重なるべき画素がずれるレジストレーションずれが発生する。特に、各液晶パネルの固定位置の設計位置からのずれは、レジストレーションずれへの影響が大きい。
【００２９】
本実施例では、プロジェクタ本体６０の製造時に、３つの液晶パネル５０Ｒ，５０Ｇ，５０Ｂの固定位置をそれぞれの設計位置に可能な限り近づける位置調整を行った後に残存した、基準位置に対する各液晶パネルのずれ量を測定する。そして、その測定結果を、プロジェクタメモリ７１に記憶させる。こうして測定された３つの液晶パネル５０Ｒ，５０Ｇ，５０Ｂの基準位置からのずれ量は、液晶パネル間（光変調素子間）のレジストレーションずれに関する第１の情報に相当する。また、液晶パネルのずれ量を測定する際には、後述する色収差がない基準投射レンズ鏡筒（図示せず）が使用される。
【００３０】
図４には、被投射面上に規定された投射領域Ｒの中心（基準位置）Ａに対して、液晶パネルの中心（変調領域の中心画素から射出して投射画像の中心に至る光線）の位置Ａ’がずれ量Ｄだけずれていることにより発生するレジストレーションずれを示している。
【００３１】
また、投射レンズ鏡筒１２の投射光学系を構成する光学部品（例えば、レンズ１２Ｅ）が設計位置に対してＸ，Ｙ方向に偏芯していたり光軸に対してＺ方向に倒れていたりすると、投射光学系の色収差に起因したレジストレーションずれが発生する。また、各光学素子の製造上のばらつきによっても色収差に起因したレジストレーションずれが発生する。
【００３２】
本実施例では、投射レンズ鏡筒１２の製造時に、各種調整を行った後に残存した投射光学系の色収差を測定し、レンズメモリ７６に記憶させる。このずれ量は、投射レンズ鏡筒１２の色収差に関する第２の情報に相当する。色収差の測定は、液晶パネル間のレジストレーションずれがないプロジェクタ本体を基準として行われる。
【００３３】
ここで、各液晶パネルにおける変調領域について、図５および図６を用いて説明する。図５に示すように、液晶パネル５０では、原画を形成することが可能な領域、言い換えれば入射光を変調することが可能な変調可能領域５０ｂの内側において、それよりも小さい領域であって実際に原画を形成する（入射光を変調する）変調領域５０ａが設定される。この変調領域５０ａの位置は、プロジェクタコントローラ７０によって、１画素単位で可変設定される。
【００３４】
図６には、変調領域中心が変調可能領域５０ｂの中心に一致するように変調領域５０ａが設定されている状態と、変調領域中心が変調可能領域５０ｂの中心から図中の左上方向にずれるように変調領域５０ａ’が移動された状態とを示している。変調領域５０ａ’が設定されると、変調領域５０ａが設定されている状態に対して、被投射面上での投射画像が変調領域５０ａに対する変調領域５０ａ’の移動方向に対応する方向に移動する。このため、液晶パネル上にて変調領域を移動させる（変更する又は選択する）ことで、投射画像間でのレジストレーションずれを低減することが可能である。
【００３５】
本実施例では、図７のフローチャートに示すように、プロジェクタコントローラ７０は、コンピュータプログラムに従って、まずレンズマウント６２に投射レンズ鏡筒１２が装着されたか否かを判定する（ステップＳ１）。装着された場合は、プロジェクタコントローラ７０は、ステップＳ２に進み、レンズコントローラ７５との通信により、レンズメモリ７６に記憶された投射レンズ鏡筒１２の投射光学系の色収差の情報を取得する。また、プロジェクタコントローラ７０は、ステップＳ３において、プロジェクタメモリ７１に記憶された各液晶パネルの基準位置に対するずれ量を読み込む。
【００３６】
次にプロジェクタコントローラ７０は、ステップＳ４において、各液晶パネルのずれ量と投射光学系の色収差とを用いて（例えば、これらの加算値を用いて）、被投射面上にて発生するＲ，Ｇ，Ｂ投射画像間でのレジストレーションずれ量の想定値を算出する。そしてステップＳ５において、液晶パネル５０Ｒ，５０Ｇ，５０Ｂのうち少なくとも１つの液晶パネルの変調領域を、被投射面上での実際のＲ，Ｇ，Ｂ投射画像間でのレジストレーションずれ量が想定値よりも小さくなるように設定（変更）する。
【００３７】
本実施例によれば、プロジェクタ本体６０に予め記憶された液晶パネル間のレジストレーションずれに関する情報と投射レンズ鏡筒１２から取得した色収差に関する情報とを用いて、被投射面上でのレジストレーションずれ量の想定値を算出する。そして、被投射面上での実際のレジストレーションずれ量が想定値よりも小さくなるように、少なくとも１つの液晶パネルにおける変調領域の位置を設定する。これにより、様々な交換タイプの投射レンズ鏡筒が装着されても、複雑な装置構成を用いることなく、投射レンズ鏡筒の色収差とプロジェクタ本体のパネルずれ量の合成によって被投射面上で発生するレジストレーションずれ量を十分に低減することができる。
【００３８】
なお、投射レンズ鏡筒１２の投射光学系が、焦点距離の変更が可能な変倍光学系（ズームレンズ）である場合においては、変倍動作によって投射光学系を構成する光学部品のうち少なくとも１つは移動する。そして、この光学部品の移動によって、Ｒ，Ｇ，Ｂ投射画像間でのレジストレーションずれ量も変化する。このため、投射レンズ鏡筒１２の変倍状態（ズーム状態）に応じて、少なくとも１つの液晶パネルにおける変調領域の位置を、レジストレーションずれ量が小さくなるように変更することが好ましい。
【００３９】
また、本実施例では、液晶パネル間のレジストレーションずれに関する第１の情報として、基準位置に対する各液晶パネルのずれ量の情報を記憶しておく場合について説明した。しかし、これは例にすぎず、他の第１の情報、例えば、ある液晶パネルの他の２つの液晶パネルに対するずれ量の情報を記憶しておいてもよい。また、本実施例では、投射レンズ鏡筒の色収差に関する第２の情報として、投射レンズ鏡筒の色収差の情報を記憶しておく場合について説明した。しかし、これは例に過ぎず、他の第２の情報、例えば、色収差によって被投射面上で発生するレジストレーションずれ量を記憶しておいてもよい。このことは、後述する他の実施例でも同様である。
【実施例２】
【００４０】
図８には、本発明の実施例２である画像投射システムの外観を示している。１６０は画像投射装置としてのプロジェクタ本体であり、１１２は投射光学装置としての投射レンズ鏡筒である。投射レンズ鏡筒１１２は、複数のレンズにより構成される投射光学系を内部に保持しており、プロジェクタ本体１６０に対して着脱（交換）が可能である。
【００４１】
なお、図８には図示しないが、プロジェクタ本体１６０には、図２に示したプロジェクタコントローラ７０およびプロジェクタメモリ７１と同様のプロジェクタコントローラおよびプロジェクタメモリが搭載されている。また、投射レンズ鏡筒１１２にも、図２に示したレンズコントローラ７５およびレンズメモリ７６と同様のレンズコントローラおよびレンズメモリが搭載されている。
【００４２】
図８には、プロジェクタ本体１６０から上部外装ケースを取り外し、投射レンズ鏡筒１１２の調整可能部分を露出させた状態を示している。調整可能部分には、投射光学系を構成する各レンズを筒状の保持部材に固定するための部品であって当該レンズの偏心方向（図２中のＸ，Ｙ方向）や倒れ方向（同Ｚ方向）での位置をユーザが調整するための調整部品（例えば、偏芯コロ）が配置されている。調整部品を回転等させることで、レンズの偏心方向や倒れ方向での位置を調整することができ、これにより、投射光学系の色収差特性を変化させて、被投射面上でのＲ，Ｇ，Ｂ投射画像間でのレジストレーションずれを低減することができる。
【００４３】
本実施例でも、プロジェクタ本体１６０の製造時に、各液晶パネルの基準位置からのずれ量（第１の情報）を測定し、該ずれ量をプロジェクタ本体１６０に設けられたプロジェクタメモリに記憶しておく。また、投射レンズ鏡筒１１２の製造時に、各種調整を行った後に残存した投射光学系の色収差を測定し、該色収差（第２のずれ量）を投射レンズ鏡筒１１２に設けられたレンズメモリに記憶しておく。
【００４４】
そして、本実施例では、プロジェクタコントローラは、コンピュータプログラムに従って、まずレンズマウントに投射レンズ鏡筒１１２が装着されたか否かを判定する。装着された場合は、プロジェクタコントローラは、レンズコントローラとの通信により、レンズメモリに記憶された投射レンズ鏡筒１１２の投射光学系の色収差の情報を取得する。また、プロジェクタコントローラは、プロジェクタメモリに記憶された各液晶パネルの基準位置に対するずれ量を読み込む。
【００４５】
次にプロジェクタコントローラは、各液晶パネルのずれ量と投射光学系の色収差とを用いて（例えば、これらの加算値を用いて）、被投射面上にて発生するＲ，Ｇ，Ｂ投射画像間でのレジストレーションずれ量の想定値を算出する。そして、少なくとも１つの液晶パネルを介して（駆動して）、被投射面上における実際のＲ，Ｇ，Ｂ投射画像間でのレジストレーションずれ量を想定値よりも小さくするために調整可能部分に対してユーザが行う調整に関する情報を被投射面に投射する。
【００４６】
図８には、調整に関する情報として、調整可能部分の画像と、調整部品を指し示す矢印と、該調整部品の調整量(ADJUST INFORMATION)とが投射表示されている例を示している。
【００４７】
本実施例によれば、ユーザが行う調整に関する情報（ガイダンス）が投射画像として表示されるので、様々な投射レンズ鏡筒が装着されても、ユーザによって簡単にレジストレーションずれ量を低減することができる。
【実施例３】
【００４８】
図９には、本発明の実施例３である画像投射システムの外観を示している。２６０は画像投射装置としてのプロジェクタ本体であり、２１２は投射光学装置としての投射レンズ鏡筒である。投射レンズ鏡筒２１２は、複数のレンズにより構成される投射光学系を内部に保持しており、プロジェクタ本体２６０に対して着脱（交換）が可能である。
【００４９】
なお、図９には図示しないが、プロジェクタ本体２６０には、図２に示したプロジェクタコントローラ７０およびプロジェクタメモリ７１と同様のプロジェクタコントローラおよびプロジェクタメモリが搭載されている。また、投射レンズ鏡筒２１２にも、図２に示したレンズコントローラ７５およびレンズメモリ７６と同様のレンズコントローラおよびレンズメモリが搭載されている。
【００５０】
本実施例でも、プロジェクタ本体１６０の製造時に、各液晶パネルの基準位置からのずれ量（第１の情報）を測定し、該ずれ量をプロジェクタ本体１６０に設けられたプロジェクタメモリに記憶しておく。また、投射レンズ鏡筒１１２の製造時に、各種調整を行った後に残存した投射光学系の色収差を測定し、該色収差（第２のずれ量）を投射レンズ鏡筒１１２に設けられたレンズメモリに記憶しておく。
【００５１】
そして、本実施例では、プロジェクタコントローラは、コンピュータプログラムに従って、まずレンズマウントに投射レンズ鏡筒２１２が装着されたか否かを判定する。装着された場合は、プロジェクタコントローラは、レンズコントローラとの通信により、レンズメモリに記憶された投射レンズ鏡筒２１２の投射光学系の色収差の情報を取得する。また、プロジェクタコントローラは、プロジェクタメモリに記憶された各液晶パネルの基準位置に対するずれ量を読み込む。
【００５２】
次にプロジェクタコントローラは、各液晶パネルのずれ量と投射光学系の色収差とを用いて（例えば、これらの加算値を用いて）、被投射面上にて発生するＲ，Ｇ，Ｂ投射画像間でのレジストレーションずれ量の想定値を算出する。そして、ユーザが後述するレジストレーションずれ情報画像を表示するモードを選択したか否かを判定する。該モードを選択された場合、プロジェクタコントローラは、少なくとも１つの液晶パネルを介して（駆動して）、図９に示すように、被投射面上に上記想定値の情報(LENS×PROJECTOR INFORMATION)を含むレジストレーションずれ情報画像を投射する。
【００５３】
レジストレーションずれ情報画像には、各液晶パネルの基準位置からのずれ量の情報（PROJECTOR INFORMATION）、投射光学系の色収差の情報(LENS INFORMATION)が含まれていてもよい。さらに、実施例１にて説明した液晶パネルの変調領域の可変設定によるレジストレーションずれ量の低減後のレジストレーションずれ量(LENS×PROJECTOR INFORMATION AFTER PANEL ADJUST)が含まれていてもよい。
【００５４】
上記想定値を投射表示することで、複数のプロジェクタ本体と複数の投射レンズ鏡筒とを組み合わせて使用する場合に、レジストレーションずれ量を少なくすることが可能なプロジェクタ本体と投射レンズ鏡筒との組み合わせをユーザに認識させることができる。
【００５５】
また、複数のプロジェクタ本体と投射レンズ鏡筒を電気的に接続した際に、それぞれが保有する液晶パネルのずれ量の情報や色収差の情報から、最適な組み合わせを提示する機能を持たせてもよい。
【００５６】
以上説明した各実施例は代表的な例にすぎず、本発明の実施に際しては、各実施例に対して種々の変形や変更が可能である。
【産業上の利用可能性】
【００５７】
レジストレーションずれが少ない投射光学系が交換可能な画像投射装置を提供できる。
【符号の説明】
【００５８】
１２  投射レンズ鏡筒
６０  プロジェクタ本体
７０  プロジェクタコントローラ
７１  プロジェクタメモリ
７６  レンズメモリ
【図１】
2012137673.tif 000003
【図２】
2012137673.tif 000004
【図３】
2012137673.tif 000005
【図４】
2012137673.tif 000006
【図５】
2012137673.tif 000007
【図６】
2012137673.tif 000008
【図７】
2012137673.tif 000009
【図８】
2012137673.tif 000010
【図９】
2012137673.tif 000011